(57)【要約】【課題】業務用にも家庭に於いても相手支持物へ取付け定着させ使用する吊下げ用フック及び資料留めに使用のクリップが存在するがフックとクリップが一体化した用具は無く更に相手支持物へ取付け定着方法も単一に留まっている、例えばマグネット、吸盤、粘着、ピン、環状ばね等いずれも単品で相手支持物へ唯１つの留め方でしかなく購入時に相手支持物の下地条件を選定する必要があり、施用したが適さない場合は勿体なくも引出しに仕舞い込むか捨てることも有るのが現状である。【解決手段】この状況を改善する唯一必須条件は、相手支持物へ複数の取付け定着を可能にすること、加えて吊下げ具と資料留め具を可能な限り１対にすることが求められる。【選択図】図６
2010240175.tif 000002
【特許請求の範囲】
【請求項１】
業務用にも家庭に於いても相手支持物へ取付け定着使用する吊下げ具フック及び資料留めに使用クリップが存在するがフック及びクリップが一体化した用具は無く、更に相手支持物へ定着方法も単一に留まっている現状、この両具を一体化した部品１と更に相手支持物へ６定着方法の多様化を有する部品２と吊掛け具の部品３とを連結一体化ことを特徴とする多機能の吊下げ具フック及びクリップ。
【請求項２】
部品２と単体化した吊下げ具フック、並びに部品２と単体化資料留めクリップとを連結一体化したことを特徴とする請求項１へ記載の吊下げ具フック及びクリップ。
【発明の詳細な説明】
【技術分野】
【０００１】
本発明は１個の商品で多様な相手支持物へ最大６通りの方法で定着できる、この為に多用途と低コストを可能にした吊下げ具フック及びクリップに関するものである。
【背景技術】
【０００２】
この吊下げ具フック＆クリップは、広範な店舗に於いて、また、展示会出展場、会社オフィスなどに於いて吊下げ具を活用した商品ディスプレイや資料留めクリップを活用した内容表示を優雅に整理整頓、しかも多用途にお使い戴きます、意外な方法に例えばレストラン、飲食店の壁部分に表示したメニューやお知らせ表示を清潔で整理した方法に活用することができる、この開発は、多様な相手支持物へ多様な定着使用方法を可能にする為に１枚の板鋼材をとんぼの羽根状に見立て形成し、４方法の定着方法と９０度回転させ逆Ｌ作用を活用し、更に定着方法を加え、是に口ばし状吊掛け具フックと６通りの定着方法を可能にした完成品を提供します。
【０００３】
既存の商品は相手支持物への定着方法はすべて単一商品であり、例えばマグネット、吸盤、粘着、ピン留め、環状バネなど何れも単品で形成され兼用の定着方法は見当たらない、この為必要とする場所での使用に適う用具を選択し購入する必要が有り、多数の場所で使用しているが単品にして価格はどうか、相手支持物に合わない場合は使わず、又一度きりの使用に終わり、どこかに閉まった侭に成っている。
特許文献１にカレンダーの吊下げ具に外ケースと内ケースで構成し、スプリングで開閉、内ケース上部が上下に動くようになり、外ケース下部のフックでカレンダー上端の綴じ部を掴んで固定する、内ケース裏面は必要に応じてマグネット、針伏突起、両面テープで固定することが提案されている。
特許文献２に紙シートの整理に用いる合成樹脂製事務用クリップが提案されている。
【特許文献１】特開２００２−３６７６９
【特許文献２】特開２０００−２８０６６７
【発明の開示】
【発明が解決しようとする課題】
【０００４】
これまで家庭や職場で多く使われている吊下げ具などは相手支持物へ１つの定着でしかなくマグネットを施用する時必要な条件は相手支持物がスチール地である事、吸盤には相手物が吸着要素を備えたタイルやガラスなど、粘着にはきれいな平面があり剥がした後の姿や現状を考える、ピン止めはボードや木地に、環状バネにはボードや棚や鴨居など相手物、これ等の選定が必要となる、適さない場合など勿体なくも引出の中へ仕方なく仕舞い込むか捨てることも有る現状が見受けられる、この状況を改善する必須条件は複数相手物に適う定着方法が求められる、唯一現在２つの兼用はマグネットと粘着の組合せのみ、しかしマグネットに耐負荷力の問題があり現状では注目度が低く市場には少ない。
以上を考えながら必須条件の複数の相手支持物への対応に必要の兼用と定着方法を熟慮し試作を重ね研究をも重ねてきたものです。
【課題を解決するための手段】
【０００５】
本発明は３つの部品を連結一体化させる、１つはフックとクリップを形成した部品１の存在、２つは板鋼材へ羽根模様を想定し３兼用打貫き孔を施した部品２の裏面又は表面へ粘着テープの施しで４施用実現と部品１と２を９０度開き停止仕様を加えている、更に３つ目は吊掛け具を本体中心部先端へ配置、これら３部品に目的と役割を与え連結一体化により相手支持物への兼用を実現、1個の部品に最多6通りの施用が可能となり、フックへは物掛けや吊下げ用として、クリップには掲示物留め、表示物留め、メモなどで活用戴くために提供します。
イ、    とんぼ羽根に見立てたデザインを1個の板鋼材に求め１、羽根両サイドへ２ミリの打貫き孔を施し押ピンで相手支持物へ留める方法が第一の方法。
ロ、    羽根裏面中央に両面粘着を施し、剥離紙を除き相手支持物へ貼付け定着させることで第二の方法と成る。
ハ、    羽根中央に施した縦２孔へホッチキスを中て、勢い良く押し相手支持物へ用具を定着させる第三の方法
ニ、    羽根中央に施した３ミリの打貫き孔へネジか釘などを施します、特に荷重大に有効に働かせる第四の方法。
ホ、    中央先端の吊掛け具をメッシュや網穴、天井を這わせた綱へ掛けます、使わない
場合は回転させ吊下げ用小フックへ変化させる第五の方法。  
ヘ、    連結一体化した部品１吊下げ具フックとクリップと部品２を９０度回転させ逆Ｌ型に変化させる、これを相手支持物の平面へ置き、定着させる第六の方法。
ここで第六には、定着後の外れを無くし確実にするため羽根表面に粘着テープで押えても、押ピン、ネジくぎを施し定着補強頂きます。
【０００６】
本発明の部品１の吊下げ具フック及びクリップの仕様には板鋼材厚み０，６ミリ、横幅８ミリを採用し更に懸腕軸受けを設けたが使用上の要求により、部材を厚薄、横幅を広狭、形状を大小させることが出来るが、当初の目的と同一である。
【０００７】
本発明の部品２の相手支持物へ定着方法３孔プラス１粘着合せて４定着を可能にした板鋼材厚み０,６ミリ、横幅７，８ミリを部品１の懸腕軸受けの内側に設け更に回転９０度で停止させ逆Ｌ形相手支持物留めが１つ加わり合計５方法が可能となる形状を施工付加したが使用上の要求により部材の厚薄、横幅の広狭、形状の大小を選択できるが目的は同一である。
【０００８】
本発明の部品３は部品２の懸腕部内側に位置させ板鋼材厚み０，６ミリ横幅６，６ミリの吊り掛け具の形状を成す、相手支持物へ定着方法はメッシュや穴へ挿入したり、天井を這わせた線に掛けて本体を安定させる、更に定着の役割しない場合は回転させ小吊下げ具として活用できる、部品３は使用上の要求により吊り掛け具を大小長短の仕様と選択ができるが目的は同一である。
【０００９】
本発明の３部品とも個々に目的と役割を与えている、この３部品を揃え、３部品の懸腕軸受けを合せ連結一体化することで初めて施用可能な完成品となる。
【００１０】
本発明の吊下げフック及びクリップを基本とし、必要の要求に対し吊下げフック及びクリップを別々に単体化し、相手支持物への定着具部品２を連結一体化することもできる。
【発明の効果】
【００１１】
地味で機能中心の器具であり、顧客が求める可愛いらしさには程遠く感じるがターゲットの商業上施用が中心であり已む得無いが、逆に考えれば可愛らしさが先に起てば６つの兼用を植込むことは出来ないと思う、つぎに使用戴く一例を挙げると
イ、オフィスの応接間、間仕切りボードに掲示物、表彰額、メモなどクリップすることに依り整理整頓されたオフィスに変化します。
ロ、あらゆる店舗の特売やお知らせ、価格表示にクリップが、商品群のディスプレイに
吊下げ具フックが活躍、商品を新鮮に美しく掛け、飾ります。
ハ、ホテル、レストラン、居酒屋さんの商品メニューやお知らせ表示を整頓された見易さと清潔さをそれとなく訴えます。
二、展示会場、見本市のご案内表示、展示物資料の表示にクリップが活躍、展示商品のディスプレイがそのブースやアイテムを見事にします。
ホ、工場生産現場、建設現場の作業手順の表示、指示明示に活用いただきます、安全と順調な作業はここから始めましょう。
ヘ、ご家庭でもお使い戴けます、台所でメモ、忘備録留めに、玄関先で車キー掛けにも、棚や鴨居の活用にも吊下げ具フック及びクリップが活躍します。
【発明を実施するための最良の形態】
【００１２】
イ、部品１へ吊下げ具フック及びクリップを施工して懸腕軸受け部を設けている。
ロ、部品２のとんぼ羽根模様へ左右に２ミリの打貫き孔、羽根中央部に３ミリの打貫き孔、羽根模様の中央部へ２本の縦孔を設けた、部品１懸腕部内側へ位置させ更に懸腕部に停止用突起部を設けた、そして羽根裏面に両面粘着テープを施してゆく。
ハ、部品２の懸腕部内側３体の中央先端に位置する所に吊り掛け具を施している。
以上の３部品を順次内側に揃えカシメ連結一体化させて施用可能にしている。
６つの兼用を具体的に説明すると、
１、    羽根両サイドに設けた２ミリの打貫き孔へ確かり押ピンを差込み留め定着します。
２、    羽根中央サイドの縦２孔へホッチキスを中て、勢い良く押し留め定着させます。
３、    羽根裏面の粘着テープのはく離紙をのぞき、相手物の綺麗な表面へ定着します。
４、    羽根中央に設けた３ミリの打貫き孔へネジか釘を施す、特に荷重大に有効です。
５、    先端中央の吊掛け具をメッシュや天井の渡し綱へ掛ける、回転させ小フックにも。
６、    本体羽根部品２を９０度回転させボード上部や棚鴨居などの平面へ定着させる。
６の定着を確実にする為と前ずれ抑制に羽根裏返し表面へ粘着テープ、押ピン、ホッキス、ネジくぎを施し補強します。
【実施例】
【００１３】
以下本発明の実施の形態を図面など用いて詳述する。
図１は請求項１の部品１構成例を示す側面図である。
板鋼材に懸腕軸受け（１）を設けて内経４ミリの軸受け孔（２）を設け、下方に吊下げ具フック（３）を形成し上部に資料留めクリップ（４）を形成している。
【００１４】
図２は請求項２の部品２構成例を示す正面図である。
板鋼材に懸腕軸受け（５）を設け、内径４ミリ軸受け孔（６）９０度停め仕様（７）
羽根状の両サイドへ２ミリの貫き孔（８）羽根中心部サイドへ縦２孔（９）３ミリ貫き孔（１０）を設けた。
【００１５】
図３は請求項２の部品２構成例の９０度停め仕様の補足側面図である。
部品１と部品２を９０度に開き仕様で縦の支持物へ施用する。
【００１６】
図４は請求項３の部品３構成例を示す側面図である。
板鋼材に懸腕軸受け（１１）、吊掛け具（１２）を形成し先端を細くした。
【００１７】
図５は請求項４の３部品を連結一体化し施用可能にした側面図である。
部品１の内側へ部品２、並びに部品３を部品２の内側に連結一体化（１３）した。
【００１８】
図６は請求項４の３部品連結一体化し施用可能にした代表正面図である。
３部品を連結一体化した正面図である、部品２の中央に施した３ミリ貫き孔が部品１の資料留めクリップから隠れている。
【００１９】
図７は請求項５の単体化した吊下げ具フックを示す側面図である。
板鋼材に懸腕軸受けを設け、吊下げ具フック（１４）を連結一体化した。
【００２０】
図８は請求項６の単体化した資料留めクリップを示す側面図である。
板鋼材に懸腕軸受けを設け、資料留めクリップ（１５）を連結一体化した。
【図面の簡単な説明】
【００２１】
【図１】本発明の部品１構成例を示す側面図である。
【図２】本発明の部品２構成例を示す正面図である。
【図３】本発明の部品２構成例９０度停め仕様を示す側面図である。
【図４】本発明の部品３構成例を示す側面図である。
【図５】本発明の３部品連結一体化を示す側面図である。
【図６】本発明の３部品連結一体化を示す代表正面図である。
【図７】本発明の単体化吊下げ具フックを示す側面図である。
【図８】本発明の単体化資料留めクリップを示す側面図である。
【符号の説明】
【００２２】
１、    部品１の懸腕軸受け
２、    軸受け孔
３、    フック
４、    クリップ
５、    部品２の懸腕軸受け
６、    軸受け孔
７、    ９０度停め仕様
８、    ２ミリ貫き孔
９、    縦２孔
１０、３ミリ貫き孔
１１、部品３の懸腕軸受け
１２、吊掛け具用小フック
１３、連結一体化
１４、単体化吊下げ具フック
１５、単体化資料留めクリップ
【図１】
2010240175.tif 000003
【図２】
2010240175.tif 000004
【図３】
2010240175.tif 000005
【図４】
2010240175.tif 000006
【図５】
2010240175.tif 000007
【図６】
2010240175.tif 000008
【図７】
2010240175.tif 000009
【図８】
2010240175.tif 000010